(57)【要約】      （修正有）【課題】両手で同時に使ってカードをスライドしながら表面上のデザイン変化を簡単に付与することでゲームの楽しみを増すことができる遊戯カードセット及び遊戯カードを切り出すプレートセットを提供する。【解決手段】遊戯カードセットは、ジャケットカード２、２でコアカード１の両側部１１、１１を挟持するように構成され、第１の方向に沿って、コアカード１の中央部１２を遮へいする第１の位置とコアカード１の中央部１２を露出する第２の位置との間を往復摺動する。各ジャケットカード２の上面及び／又は下面にそれぞれ、コアカード１の中央部を遮へいしたときに組み合わせてまとまった図柄を形成可能な第１の図柄と第２の図柄とを形成した。【選択図】図１
0003165655.tif 000002
【実用新案登録請求の範囲】
【請求項１】
上面と下面とを有する平面状のコアカードと、
それぞれ前記コアカード平面の第１の方向の両側部を挟む挟持空間を有し、前記コアカードの中央を遮へいする第１の位置と前記コアカードの中央を露出する第２の位置との間を前記第１の方向に沿って摺動可能な２つのジャケットカードとを備え、
前記コアカードの両側部は、各前記ジャケットカードが前記第２の位置にあるとき、それ以上の摺動を規制して各前記ジャケットカードを定位させる第１の係止部を形成し、
前記挟持空間内に、前記第１の係止部と係止可能にする係止部材が設けられ、
各前記ジャケットカードは、その上面及び／又は下面にそれぞれ、前記第１の位置にある際に組み合わせてまとまった図柄を形成可能な第１の図柄と第２の図柄とを形成したことを特徴とする遊戯カードセット。
【請求項２】
各前記係止部材は、前記挟持空間内に設置されて少なくとも前記コアカードの両側部のそれぞれを挟んで対向する１対の係止片を有し、
各前記係止片は、前記ジャケットカードの摺動時に前記両側部のそれぞれが引掛けられて係止される第２の係止部が形成されていることを特徴とする請求項１に記載の遊戯カードセット。
【請求項３】
前記コアカードの両側部はそれぞれ、その一側が前記中央部に続いて該中央部の前記第１の方向に直角な第２の方向の幅より狭い幅狭部と、その一側が該幅狭部に続いて前記第１の係止部として前記幅狭部より広い幅広部とが形成され、
各前記第２の係止部として、前記係止片における前記幅狭部側の縁より突片が突き出て形成され、
前記ジャケットカードの摺動時に、前記幅広部が各前記突片を乗越えず引掛けられて係止されることを特徴とする請求項２に記載の遊戯カードセット。
【請求項４】
前記突片は、前記挟持空間の前記コアカード側の開口より離れた奥側の第１の縁が前記第２の方向に平行するように形成されたことを特徴とする請求項３に記載の遊戯カードセット。
【請求項５】
前記突片は、前記挟持空間の前記コアカード側の開口側の第２の縁が先細に傾斜する楔形状に形成されたことを特徴とする請求項４に記載の遊戯カードセット。
【請求項６】
前記突片は、前記挟持空間の前記コアカード側の開口側の第２の縁が前記第２の方向に平行する直線状に形成されたことを特徴とする請求項４に記載の遊戯カードセット。
【請求項７】
各前記ジャケットカードは、上下合わせて連結して前記挟持空間を画成する第１の片体と第２の片体とからなっていることを特徴とする請求項３に記載の遊戯カードセット。
【請求項８】
前記係止片は、前記突片と間隔をおいて凸部が前記第２の方向のカード中心線側に突き出て形成され、前記摺動中、前記幅広部が前記凸部を乗越えて前記突片と前記凸部との間に定位することを特徴とする請求項３に記載の遊戯カードセット。
【請求項９】
請求項７に記載の遊戯カードセットが切り出し可能に形成されたプレートセットであって、
前記第１の片体を切り出す複数の切断線が形成された第１のプレートと、
前記第１のプレートの下側に配置され、前記第２の片体を切り出す複数の切断線が形成された第２のプレートと、
前記第１のプレート及び前記第２のプレートの間に配置され、前記コアカードと前記係止片とを切り出す複数の切断線が形成され、前記係止片の上面及び下面に接着剤層を設けた第３のプレートと
を備えていることを特徴とするプレートセット。
【請求項１０】
前記第３のプレートにおける各係止片が形成されたエリアが、前記コアカードが形成されたエリアに隣接していることを特徴とする請求項９に記載のプレートセット。
【請求項１１】
前記第１のプレートにおける各第１の片体が形成されたエリアが互いに隣接していることを特徴とする請求項９に記載のプレートセット。
【請求項１２】
前記第２のプレートにおける各第２の片体が形成されたエリアが互いに隣接していることを特徴とする請求項９に記載のプレートセット。
【請求項１３】
前記第１のプレートにおける各第１の片体が形成されたエリア及び前記第２のプレートにおける各第２の片体が形成されたエリアが、互いに上下対応するように配置されることを特徴とする請求項９に記載のプレートセット。
【考案の詳細な説明】
【技術分野】
【０００１】
本考案は、遊戯カードセット及びこの遊戯カードセットを切り出すプレートセットに関する。
【背景技術】
【０００２】
現在、科学的技術が発達するにつれて、子供は大半テレビ番組を見たりコンピュータゲームなどを楽しんだりするが、長時間画面を見続けることで視力や、集中力、記憶力の低下をきたす問題点がある。
従来より、集中力、記憶力を鍛えると共に長時間視聴しないように、絵、文字或いは記号などの複数の図柄をプレートに描いて完成図を１つに限定せず、子供の創意によりより多くの完成図を得ることができる折り紙の一例が提案されている。
【先行技術文献】
【特許文献】
【０００３】
【特許文献１】台湾実用新案公告第３３５７２６号明細書
【考案の概要】
【考案が解決しようとする課題】
【０００４】
従来、様々な完成図に折って楽しめる折り紙が知られているが、この考案は、両手を同時に使ってカードをスライドしながら表面のデザイン変化を簡単に付与することでゲームの楽しみを増すことができる遊戯カードセット及び遊戯カードを切り出すプレートセットを提供できる。
【課題を解決するための手段】
【０００５】
上記目的を達成するために、一つ目の観点によれば、本考案の遊戯カードセットは、上面と下面とを有する平面状のコアカードと、それぞれ前記コアカード平面の第１の方向の両側部を挟む挟持空間を有し、前記コアカードの中央を遮へいする第１の位置と前記コアカードの中央を露出する第２の位置との間を前記第１の方向に沿って摺動可能な２つのジャケットカードとを備え、前記コアカードの両側部は、各前記ジャケットカードが前記第２の位置にあるとき、それ以上の摺動を規制して各前記ジャケットカードを定位させる第１の係止部を形成し、前記挟持空間内に、前記第１の係止部と係止可能にする係止部材が設けられ、各前記ジャケットカードは、その上面及び／又は下面にそれぞれ、前記第１の位置にある際に組み合わせてまとまった図柄を形成可能な第１の図柄と第２の図柄とを形成したことを特徴とする遊戯カードセットを提供する。
【０００６】
本考案の遊戯カードセットにおいて、各前記係止部材は、前記挟持空間内に設置されて少なくとも前記コアカードの両側部のそれぞれを挟んで対向する１対の係止片を有し、各前記係止片は、前記ジャケットカードの摺動時に前記両側部のそれぞれが引掛けられて係止される第２の係止部が形成されることが好ましい。
【０００７】
本考案の遊戯カードセットにおいて、前記コアカードの両側部はそれぞれ、その一側が前記中央部に続いて該中央部の前記第１の方向に直角な第２の方向の幅より狭い幅狭部と、その一側が該幅狭部に続いて前記第１の係止部として前記幅狭部より広い幅広部とが形成され、各前記第２の係止部として、前記係止片における前記幅狭部側の縁より突片が突き出て形成されることが好ましく、前記ジャケットカードの摺動時に、前記幅広部が各前記突片を乗越えず引掛けられて係止されることができる。
【０００８】
本考案の遊戯カードセットにおいて、前記突片は、前記挟持空間の前記コアカード側の開口より離れた奥側の第１の縁が前記第２の方向に平行するように形成されることが好ましい。
【０００９】
本考案の遊戯カードセットにおいて、前記突片はまた、前記挟持空間の前記コアカード側の開口側の第２の縁が先細に傾斜する楔形状に形成されることが好ましい。
本考案の遊戯カードセットにおいて、前記突片は、前記挟持空間の前記コアカード側の開口側の第２の縁が前記第２の方向に平行する直線状に形成されてもよい。
【００１０】
本考案の遊戯カードセットにおいて、各前記ジャケットカードは、上下合わせて連結して前記挟持空間を画成する第１の片体と第２の片体とからなることが好ましい。
本考案の遊戯カードセットにおいて、前記係止片は、前記突片と間隔をおいて凸部が前記第２の方向のカード中心線側に突き出て形成されることが好ましく、前記摺動中、前記幅広部が前記凸部を乗越えて前記突片と前記凸部との間に定位することができる。
【００１１】
二つ目の観点によれば、本考案のプレートセットは、本考案の遊戯カードセットが切り出し可能に形成されたプレートセットであって、前記第１の片体を切り出す複数の切断線が形成された第１のプレートと、前記第１のプレートの下側に配置され、前記第２の片体を切り出す複数の切断線が形成された第２のプレートと、前記第１のプレート及び前記第２のプレートの間に配置され、前記コアカードと前記係止片とを切り出す複数の切断線が形成され、前記係止片の上面及び下面に接着剤層を設けた第３のプレートとを備えていることを特徴とするプレートセットを提供する。
【００１２】
本考案のプレートセットにおいて、前記第３のプレートにおける各係止片が形成されたエリアが、前記コアカードが形成されたエリアに隣接することが好ましい。
本考案のプレートセットにおいて、前記第１のプレートにおける各第１の片体が形成されたエリアが互いに隣接することが好ましい。
【００１３】
本考案のプレートセットにおいて、前記第２のプレートにおける各第２の片体が形成されたエリアが互いに隣接することが好ましい。
【００１４】
本考案のプレートセットにおいて、前記第１のプレートにおける各第１の片体が形成されたエリア及び前記第２のプレートにおける各第２の片体が形成されたエリアが、互いに上下対応するように配置されることが好ましい。
【考案の効果】
【００１５】
本考案の遊戯カードセットによれば、両手で同時に使って、平面沿いに往復摺動可能に互いに係止されているコアカードとジャケットカードとをスライドさせて異なる図柄を得ることによって、ゲームの楽しみを増すことができる。なお、コアカードの中央部に数値などが印刷されたとき、足し算などの演算、大小の比較を行うことによってもゲームを楽しむことができる。また、本考案のプレートカードによれば、往復摺動可能に互いに係止され得るコアカードとジャケットカードとを切り出して本考案の遊戯カードセットを簡単に製造することができる。
【図面の簡単な説明】
【００１６】
【図１】本考案に係る遊戯カードセットの第１の実施例を示す分解斜視図である。
【図２】図１の例の遊戯カードセットの組み合わせを示す正面図である。
【図３】図１の組み合わせられた遊戯カードセットのデザイン変化の例を示す正面図である。
【図４】本考案に係る遊戯カードセットの第２の実施例の組合せを示す正面図である。
【図５】図４の組み合わせられた遊戯カードセットのデザイン変化の例を示す正面図である。
【図６】本考案に係る遊戯カードセットの第３の実施例の組合せを示す正面図である。
【図７】図６の組み合わせられた遊戯カードセットのデザイン変化の例を示す正面図である。
【図８】図１の遊戯カードセットを切り出すプレートセットを示す分解斜視図である。
【図９】図６の遊戯カードセットを切り出すプレートセットにおける１枚のプレートを示す正面図である。
【考案を実施するための形態】
【００１７】
以下、本考案に係る遊戯カードセット及びこの遊戯カードセットを切り出すプレートセットについて添付図面を参照していくつの例を挙げて説明する。なお、同一構成及び機能を有する構成要素については、同一番号を付してその説明を省略する。
［遊戯カードセットに係る第１の実施例］
【００１８】
本考案の遊戯カードセットに係る第１の実施例は、図１に示すように、コアカード１、とコアカード１の中央を遮へいする第１の位置とコアカード１の中央を露出する第２の位置との間を第１の方向２０１に沿って摺動可能な２つのジャケットカード２、２を備えている。この２枚のジャケットカード２、２を例えば両手で持って第１の方向に沿って摺動させることができる。
【００１９】
コアカード１は、上面１ａと下面１ｂとを有する平面状のプレートである。コアカード１の両側部１１は、ジャケットカード２が前記第２の位置にあるとき、それ以上の摺動を規制して各前記ジャケットカード２を定位させる第１の係止部１３を形成している。この例において、コアカード１の中央部１２はほぼ矩形状であるが、これに限らず、円形などの他の形状でもよい。なお、コアカード１の上面１ａ及び／又は下面１ｂにおける中央部１２に対応する一部には絵、文字或いは記号などの複数の図柄を印刷していてもよい。
【００２０】
コアカード１の両側部１１、１１はそれぞれ中央部１２に対してＴの字形をし、その一側が中央部１２と続いて該中央部１２の第１の方向２０１に直角な第２の方向２０２の幅より狭い幅狭部１１１と、その一側が該幅狭部１１１と続いて第１の係止部１３として幅狭部１１１より広い幅広部１１２とが形成されている。
２つのジャケットカード２、２は、それぞれコアカード１平面の第１の方向２０１の両側部１１、１１を挟むように設けられ、相互に近づいたり離れたりするように該第１の方向２０１に沿って第１の位置と第２の位置との間を摺動しコアカード１の中央を遮へいしたり露出したりすることができる。
【００２１】
各ジャケットカード２は、コアカード１の両側部１１、１１を入れて挟む挟持空間２１１を画成して、互いに対向する内側にそれぞれ挟持空間２１１に連通する開口２１２を形成している。
【００２２】
各ジャケットカード２は、上下合わせて連結して開口２１２及び挟持空間２１１を画成する第１の片体２１５と第２の片体２１６とからなり、上面１ａ及び／又は下面１ｂと平行する上面２１５ａ、２１６ａ及び／又は下面２１５ｂ、２１６ｂにそれぞれ、コアカード１の中央部１２を摺動して第１の位置にある際に組み合わせてまとまった図柄を形成可能な第１の図柄４１１、４２１と第２の図柄４１２、４２２とを印刷形成している。この例において、例えば、第１の図柄４１１、４２１と第２の図柄４１２、４２２とは対応して合わせると、ジャケットカード２の上面２ａには、それぞれ星形の図柄４１、下面２ｂには円形の図柄４２となるように所定の絵が印刷されている。
【００２３】
挟持空間２１１内に、第１の係止部１３と係止可能にする係止部材２２、２２が設けられ、各係止部材２２は、挟持空間２１１内に設置されて少なくともコアカード１の両側部１１、１１のそれぞれを挟んで対向する１対の係止片２２１を有し、各係止片２２１は、ジャケットカード２の摺動時に両側部１１、１１のそれぞれが引掛けられて所定の位置に係止される第２の係止部が形成されている。
【００２４】
各第２の係止部として、係止片２２１における幅狭部１１１側の縁より突片２２３が突き出て形成され、ジャケットカード２の摺動時に、第１の係止部１３としての幅広部１１２が各突片２２３を乗越えず引掛けられて係止される。
【００２５】
突片２２３は、図１〜３に示すように、開口２１２より離れた奥側の第１の縁２２３ａが第２の方向２０２に平行であると共に開口２１２側の第２の縁２２３ｂが先細に傾斜する楔形状に形成されている。中央部１２の両側縁の角部を切り落として傾斜した第２の縁２２３ｂに平行する稜角状に形成されている。
【００２６】
以上のように構成された遊戯カードセット１００の動作を以下に説明する。
図２において、プレイヤーは第１の方向２０１に沿って互いに離れるように両手で対応するジャケットカード２、２を引き離せ、幅広部１１２が第２の係止部としての突片２２３の縁２２３ａに接触して引掛けられる。従って、図３に示すように、コア１の中央部１２が露出して所定の図柄が表れるまで、ジャケットカード２は摺動されてコアカード１から完全に脱離することなくコアカード１の両側部１１に係止されて定位される。
【００２７】
図３において、プレイヤーは両手で対応するジャケットカード２、２を第１の方向２０１に沿って互いに近づけて、各ジャケットカード２、２の開口２１２側の縁が接触する第１の位置まで引き寄せる。従って、図２に示すように、コアカード１を遮へいしていると共に、第１の図柄４１１、４２１と第２の図柄４１２、４２２とは対応して合わせて、ジャケットカード２の上面２ａには、それぞれ星形の図柄４１、下面２ｂには円形の図柄４２が表れる。
【００２８】
本例の遊戯カードセット１００は、両手で同時に使ってコアカード１とジャケットカード２、２とをスライドさせて異なる図柄を得ることでゲームの楽しみを増すことができる。なお、コアカード１の中央部１２に数値などを印刷し、足し算などの演算、大小の比較を行うことによってもゲームを楽しむことができる。
［遊戯カードセットに係る第２の実施例］
【００２９】
この実施例の遊戯カードセット１００Ａは、図４、５に示すように、前記第１の実施例の遊戯カードセット１００と違って、係止片２２１Ａは、突片２２３と間隔をおいて凸部２２６が開口２１２から離れた奥側に幅狭部１１１側に突き出て形成されている。これによって、ジャケットカード２の摺動中、幅広部１１２が凸部２２６を乗越えて突片２２３と凸部２２６との間に定位することができる。これにより、ジャケットカード２が第二の位置にあるときに、ずれにくいようにすることができる。
［遊戯カードセットに係る第３の実施例］
【００３０】
前記実施例の矩形状にした遊戯カードセットとは異なり、この実施例の遊戯カードセット１００Ｂは、図６、７に示すように、各ジャケットカード２Ｂが半円形に裁断され、ジャケットカード２Ｂ全体が第一の位置にあるときに円形状になす点が異なる。また、第２の係止部としての突片２２３Ａは、開口２１２側の第２の縁２２３ｃが第２の方向２０２に平行する直線状に形成されて、突片２２３Ａが矩形状に形成されている点も前記実施例と異なっている。また、コアカード１Ａの中央部１２Ａの両側縁の角部は切り落とさず直角状に形成されている。
【００３１】
これによって、ジャケットカード２は往復摺動されたとき、コアカード１の両側部のいずれかが突片２２３Ａの第１の縁２２３ａ又は第２の縁２２３ｃに接触することができるので、定位効果を向上させることができる。
［プレートセットの第１の実施例］
【００３２】
次に、図８を参照して、前記実施例の遊戯カードセット１００が切り出し可能に形成されたプレートセット３について説明する。
プレートセット３は、所定の図柄４１１、４２１などを印刷した３枚のプレートを用い、当該３枚のプレートにおける第１のプレート３１には第１の片体２１５、２１５を切り出す複数の切断線３１１が形成され、第１のプレート３１の下側に配置される第２のプレート３２には第２の片体２１６、２１６を切り出す複数の切断線３２１が形成され、第１のプレート３１及び第２のプレート３２の間に配置される第３のプレート３３には、コアカード１と突片２２３付係止片２２１とを切り出す複数の切断線３３１が形成されている。第３のプレート３３は更に、切り出す各係止片２２１の上面及び下面に接着剤層を設ける。
【００３３】
第１のプレート３１における各第１の片体２１５が形成されたエリアが互いに隣接することによって、１本の切断線３１１で２枚の第１の片体２１５、２１５を切り出すことができる。同様に、第２のプレート３２における各第２の片体２１６が形成されたエリアが互いに隣接することで、１本の切断線３２１で２枚の第２の片体２１６、２１６を切り出すことができる。第３のプレート３３における各係止片２２１が形成されたエリアはコアカード１を切り出すエリアに隣接している。したがって、切断線を少なく設けることができ、切り出しの効率も良くなる。なお、第１のプレート３１における各第１の片体２１５が形成されたエリア及び第２のプレート３２における各第２の片体２１６が形成された出すエリアが、互いに対応して配置されるように切断線３１１、３２１を付与するようにしている。
【００３４】
切り出す各係止片２２１の上面及び下面に接着剤層を設けたことによって、第１の片体２１５、１対の係止片２２１、２２１及び第２の片体２１６を接着して、開口２１２を開けた挟持空間を画成するジャケットカード２とすることができる。
以上により、プレートセット３により、コアカード１とジャケットカード２とからなる遊戯カードセット１００が製造される。
［プレートセットの第２の実施例］
【００３５】
図９は、図６の遊戯カードセットにおけるコアカードを切り出すプレートセットの第３のプレート３３Ａを示す正面図である。第３のプレート３３Ａに複数の切断線３３１Ａを設けている。この第３のプレート３３Ａによって矩形状の突片２２３Ａを形成した係止片２２１Ｂ及び所定の形状をなしたコアカード１Ａが得られる。
【符号の説明】
【００３６】
１００、１００Ａ、１００Ｂ  遊戯カードセット
１、１Ａ  コアカード
１ａ  上面
１ｂ  下面
１１  側部
１１１  幅狭部
１１２  幅広部
１２、１２Ａ  中央部
１３  第１の係止部
２、２Ａ、２Ｂ  ジャケットカード
２ａ  上面
２ｂ  下面
２１１  挟持空間
２１２  開口
２１５  第１の片体
２１５ａ、２１６ａ  上面
２１５ｂ、２１６ｂ  下面
２１６  第２の片体
２２  係止部材
２２１、２２１Ａ、２２１Ｂ  係止片
２２３、２２３Ａ  突片（第２の係止部）
２２３ａ  第１の縁
２２３ｂ、２２３ｃ  第２の縁
２２６  凸部
４１、４２  図柄
４１１、４２１  第１の図柄
４１２、４２２  第２の図柄
２０１  第１の方向
２０２  第２の方向
３  プレートセット
３１、３２、３３、３３Ａ  プレート
３１１、３２１、３３１、３３１Ａ  切断線
【図１】
0003165655.tif 000003
【図２】
0003165655.tif 000004
【図３】
0003165655.tif 000005
【図４】
0003165655.tif 000006
【図５】
0003165655.tif 000007
【図６】
0003165655.tif 000008
【図７】
0003165655.tif 000009
【図８】
0003165655.tif 000010
【図９】
0003165655.tif 000011